(57)【要約】【課題】多量の雨水が表面に降りかかっている蓋体が取出口を開けたときにも、蓋体の表面を伝って雨水がポスト本体の内方に飛散しないようにして、ポスト本体内に収納された郵便物を濡らさないようにできる郵便ポストを提供する。【解決手段】蓋体の幅方向に亘って蓋体３の表面からポスト本体１の内方に凹没させて形成した集水溝４を蓋体３の上端部に設ける。集水溝４の幅方向端部に位置した溝壁の溝高さを集水溝４の他の溝壁よりも低く設定させてオーバーフロー部５を形成する。【選択図】　　　　図１
2004105259.tif 000002
【特許請求の範囲】
【請求項１】
内部に郵便物を収納する函状のポスト本体に取出口が形成され、この取出口を開閉する蓋体の上端近傍がポスト本体の取出口縁に枢支され、この蓋体が取出口を開けたときには、蓋体の下端部が上端部よりも上方に位置すると共に該上端部がポスト本体内に位置されるような郵便ポストにおいて、蓋体の幅方向に亘って蓋体の表面からポスト本体の内方に凹没させて形成した集水溝を蓋体の上端部に設け、集水溝の幅方向端部に位置した溝壁の溝高さを集水溝の他の溝壁よりも低く設定させてオーバーフロー部を形成したことを特徴とする郵便ポスト。
【請求項２】
取出口を開けた状態の蓋体におけるオーバーフロー部の下方に位置するポスト本体の底面の部位に、オーバーフロー部から滴り落ちた雨水をポスト本体外へ排出させる水抜き孔を穿設したことを特徴とする請求項１に記載の郵便ポスト。
【請求項３】
上面に郵便物が載置収納される中敷板をポスト本体の底面上に隙間を介して重ねて配置し、取出口を開けた状態の蓋体におけるオーバーフロー部の下方に位置する中敷板の部位に、オーバーフロー部から滴り落ちた雨水を下方に通過させる通水孔を設けたことを特徴とする請求項１に記載の郵便ポスト。
【発明の詳細な説明】
【０００１】
【発明の属する技術分野】
本発明は、郵便ポストに関し、詳しくは郵便ポストの防水構造に関する発明である。
【０００２】
【従来の技術】
従来から、内部に郵便物を収納する函状のポスト本体１に取出口２が形成され、この取出口２を開閉する蓋体３の上端近傍がポスト本体１の取出口縁に枢支され、ポスト本体１に収納された郵便物を見やすくするために、この蓋体３が取出口２を開けたときには、蓋体３の下端部が上端部よりも上方に位置すると共に該上端部がポスト本体１内に位置されるようにした郵便ポストにあっては、蓋体３が略面一に形成されていると、図１１に示すように、蓋体３が取出口２を開けたときには、蓋体３の表面に降りかかった雨水Ｗが蓋体３の表面を伝って上端方向に流れて、そのままポスト本体の内方に飛散し、この雨水Ｗによってポスト本体内に収納されていた郵便物が濡れてしまうものであった（たとえば、特許文献１参照）。
【０００３】
しかして、図１２に示すように、蓋体３の上端部に、蓋体３の幅方向に亘って蓋体３の表面からポスト本体１の内方に凹没させて形成した集水溝４を設け、蓋体３が取出口２を開けたときに蓋体３の表面を伝って蓋体３の上端方向に流れる雨水Ｗを、ポスト本体１の内方に飛散してしまう前で、上記集水溝４に集水させるようにした郵便ポストが開発されるに至っている（たとえば、特許文献２参照）。
【０００４】
【特許文献１】
実開昭６０−８６８５号公報
【特許文献２】
特開平１０−５７２２９号公報
【０００５】
【発明が解決しようとする課題】
しかしながら、後者に例示した郵便ポストにあっても、図１３に示すように、集水溝４の容積を越えるほどの多量の雨水Ｗが蓋体３の表面に降りかかっていた場合等に蓋体３が取出口２を開けたときには、蓋体３の表面を伝って蓋体３の上端方向に流れる雨水Ｗは、集水溝４で納まりきらなくなり、集水溝４を越えてポスト本体１の内方に飛散してしまい、結果、郵便物を濡らしてしまうのであった。
【０００６】
本発明は上記の点に鑑みてなされたものであり、多量の雨水が表面に降りかかっている蓋体が取出口を開けたときにも、蓋体の表面を伝って雨水がポスト本体の内方に飛散しないようにして、ポスト本体内に収納された郵便物を濡らさないようにできる郵便ポストを提供することを課題とするものである。
【０００７】
【課題を解決するための手段】
上記課題を解決するために本発明に係る郵便ポストは、内部に郵便物を収納する函状のポスト本体１に取出口２が形成され、この取出口２を開閉する蓋体３の上端近傍がポスト本体１の取出口縁に枢支され、この蓋体３が取出口２を開けたときには、蓋体３の下端部が上端部よりも上方に位置すると共に該上端部がポスト本体１内に位置されるような郵便ポストにおいて、蓋体３の幅方向に亘って蓋体３の表面からポスト本体１の内方に凹没させて形成した集水溝４を蓋体３の上端部に設け、集水溝４の幅方向端部に位置した溝壁の溝高さを集水溝４の他の溝壁よりも低く設定させてオーバーフロー部５を形成したことを特徴とする。これによると、蓋体３が取出口２を開けたときには、蓋体３の表面に降りかかった雨水が集水溝４に集水され、集水溝４に集水されて溜められた雨水が所定の量を越えたときには、集水溝４の幅方向端部にあるオーバーフロー部５から下方に滴り落とされるのであり、集水溝４に収まりきらなかった雨水が集水溝４の幅方向端部以外の溝壁を越えてしまい、ポスト本体１の内方に飛散してしまうといったことは無くすることができる。ここで、集水溝４のオーバーフロー部５の下方位置は、ポスト本体１内に収納された郵便物がほとんど位置しないポスト本体１の底面１ｃと側面１ａとの角部近傍部位であるから、オーバーフロー部５から滴り落ちた雨水が郵便物にひっかかる恐れが無いものである。したがって、蓋体３を開けたときにポスト本体１の内方に収納された郵便物が雨水で濡れる恐れを無くすることができる。
【０００８】
また、取出口２を開けた状態の蓋体３におけるオーバーフロー部５の下方に位置するポスト本体１の底面１ｃの部位に、オーバーフロー部５から滴り落ちた雨水をポスト本体１外へ排出させる水抜き孔６を穿設したことも好ましい。これによると、オーバーフロー部５からポスト本体１の底面１ｃに滴り落ちた雨水を、ポスト本体１の底面１ｃに留まらせず、水抜き孔６からすみやかにポスト本体１外へ排水させるようにできる。
【０００９】
また、上面１ｂに郵便物が載置される中敷板７をポスト本体１の底面１ｃ上に隙間Ｓを介して重ねて配置し、取出口２を開けた状態の蓋体３におけるオーバーフロー部５の下方に位置する中敷板７の部位に、オーバーフロー部５から滴り落ちた雨水を下方に通過させる通水孔８を設けたことも好ましい。これによると、オーバーフロー部５から滴り落ちた雨水を下方に通過させる通水孔８を中敷板７に設けたので、中敷板７にはオーバーフロー部５から滴り落ちた雨水がかかることはなく、また、上記雨水が中敷板７の通水孔８を通ってポスト本体１の底面１ｃ上に溜まったとしても、上面１ｂに郵便物が載置される中敷板７をポスト本体１の底面１ｃ上に隙間Ｓを介して重ねて配置したので、中敷板７の上の郵便物は底面１ｃ上に溜まった雨水が隙間Ｓの高さより低ければ濡れずに済み、つまり、ある程度ポスト本体１の底面１ｃ上に雨水が溜まっても郵便物は濡れないようになっているから、オーバーフロー部５から滴り落ちた雨水はすみやかにポスト本体１外に排水する必要がなく、したがってポスト本体１の底面１ｃに穿設する水抜き孔６の設置位置の自由度を高めることができる。
【００１０】
【発明の実施の形態】
図１乃至図９に本発明の実施の形態の例を示す。
【００１１】
本例の郵便ポストは、１対の側面１ａ、上面１ｂ、底面１ｃ、前面１ｄ及び後面１ｅで略矩形函状に形成されたポスト本体１で主体が構成されている。このポスト本体１の前面１ｄには、ポスト本体１内に郵便物を投函する投函口９が設けられており、ポスト本体１の後面１ｅには、ポスト本体１内に収納された郵便物を取り出す取出口２が設けられている。投函口９は幅方向に長いスリットであり、この投函口９の内側には投函口９を開閉する投函蓋１０が設けられている。この投函蓋１０は、その上端部分がポスト本体１の投函口９縁の上部に枢支されており、下端部を回動端として上下に回動するようにされている。なお、図１実線の投函蓋１０は投函口９を閉じた状態を示し、図１点線の投函蓋１０は投函口９を開けた状態を示している。また、取出口２はポスト本体１の後面１ｅの大部分を占める開口であり、この取出口２には取出口２を開閉する蓋体３が設けられている。この蓋体３は、その上端近傍がポスト本体１の取出口縁の上部に枢支され、下端部を回動端として上下に回動するようにされている。
【００１２】
この蓋体３は、その上端部にオーバーフロー部５を備えた集水溝４が形成されている。この集水溝４は、蓋体３の幅方向に亘って蓋体３の表面からポスト本体１の内方に凹没させて形成されている。そして、この集水溝４には、集水溝４の幅方向両端部に位置した溝壁の溝高さを他の溝壁よりも低くして形成させたオーバーフロー部５が設けられている。すなわちオーバーフロー部５は集水溝４の幅方向両端部に設けられている。
【００１３】
この蓋体３が取出口２を閉じたときには、図１の実線で示した蓋体３のように、集水溝４のある蓋体３の上端部がポスト本体１の後面１ｅ内側に重なって位置すると共に、指を引っ掛け得る把持部１１が形成された蓋体３の下端部がポスト本体１の後面１ｅ外側に重なって位置するようになり、把持部１１の裏側からポスト本体１の内方に突出した引掛片１２をポスト本体１の後面１ｅ下部に設けた係合孔１３に引っ掛けることで、この蓋体３にて取出口２を完全に閉じることができるようになっている。
【００１４】
ここで、蓋体３が取出口２を閉じた状態では、郵便ポストに降りかかる雨水の取出口２からポスト本体１内への侵入防止を図る止水構造が形成されるようになっている。つまり、取出口２の上端及び下端部分では、上述したようにポスト本体１の取出口縁に蓋体３が重なっているので、雨水のポスト本体１の内方への侵入が防止されている。また、取出口２の幅方向端部では、蓋体３の幅方向端部が取出口２内に位置されるものの、蓋体３の幅方向端部が隣接する取出口縁には、取出口２よりもポスト本体１の内方位置で取出口の中央方向に突出した縦片状の水受け片１４が設けられており、蓋体３の幅方向端部と取出口縁との隙間Ｓからポスト本体１内に侵入しようとする雨水は上記水受け片１４に当たって流下されるようになっていて、雨水のポスト本体１の内方への侵入は防止されているのである。
【００１５】
なお、風雨が激しい場合などには投函口９や取出口２から雨水がポスト本体１内に侵入してしまうこともあり得るが、本例の郵便ポストは、万が一のポスト本体１内への雨水の侵入があっても、ポスト本体１内に収納された郵便物が濡れないようにする工夫がなされている。つまり、ポスト本体１の底面１ｃ上には、ポスト本体１の底面１ｃから郵便物を浮かせて収納させるための中敷板７が該底面１ｃとの間に隙間Ｓを設けるようにして載設されており、また、このポスト本体１の底面１ｃには、ポスト本体１の底面１ｃ上に溜まった雨水をポスト本体１外に排水させる水抜き孔６が穿設されているのである。
【００１６】
この中敷板７は、図３に示すように、取出口２の幅寸法より小さい幅寸法を有した１対の敷板片７ａを並べて一体にすることで形成された板部材である。詳述すると、各敷板片７ａの対向部分には、他の部位に比べて上下厚みが半分にされた薄肉部１５がそれぞれ形成されており、各薄肉部１５には各敷板片７ａの薄肉部１５を積層させたときに貫通する取付孔１６がそれぞれ穿設されている。そして、各敷板片７ａの薄肉部１５を積層させて取付孔１６同士を合わせて締結具１７を挿通させることで１対の敷板片７ａが一体となり、各敷板片７ａの薄肉部１５の積層部分でも上下厚みが他の部位と同等にされた中敷板７が形成される。なお、この中敷板７は、ポスト本体１の底面１ｃを完全に覆うため、ポスト本体１の底面１ｃの幅寸法と同じ幅寸法を有するようにした板部材であるが、取出口２の幅寸法より小さい幅寸法を有した１対の敷板片７ａにて構成されたことで、取出口２を通して確実にポスト本体１の底面１ｃ上に中敷板７を載設できるようにしているのである。更に言うと、この中敷板７は、取出口２に近づくほど低位置になる勾配をつけるようにしてポスト本体１の底面１ｃ上に載設されている。これにより、万が一、中敷板７上に雨水が付着しても、中敷板７上で雨水を留まらせずにポスト本体１の底面１ｃにすみやかに流れ落とすようにされているのであり、中敷板７上に収納する郵便物が雨水で濡れてしまうことを極力回避させている。
【００１７】
また、この中敷板７には、取出口２を開けた状態の蓋体３におけるオーバーフロー部５の下方にあたる位置、すなわち中敷板７の後端部分の幅方向両端部分に、蓋体３が取出口２を開けたときに、オーバーフロー部５から滴り落ちた雨水を下方に通過させる通水孔８が設けられている。また、ポスト本体１の底面１ｃに穿設した水抜き孔６の設置箇所は、本例では図４に示すように、該底面１ｃの後端近傍部位における、幅方向の両端部及び中央部の計３ヶ所に設定されている。詳しくは、上記３ヵ所の水抜き孔６のうち、ポスト本体１の幅方向両端部に穿設された水抜き孔６は、取出口２を開けた蓋体３におけるオーバーフロー部５の下方位置に相当している。つまり、このポスト本体１の幅方向両端部の水抜き孔６は、その上方位置に通水孔８が位置されるのである。
【００１８】
上述した構成を有する本例の郵便ポストでは、蓋体３が取出口２を開けたときには、ポスト本体１内に収納された郵便物を見易くするために、図１の点線で示した蓋体３のように、蓋体３の下端部が上端部よりも上方に位置すると共に該上端部がポスト本体１内に位置されるようになっている。しかして、図５に示すように、雨水が表面に降りかかって付着した状態にある蓋体３が取出口２を開けたときには、上記蓋体３の表面にある雨水は蓋体３の表面を伝って蓋体３の上方に向って流れ、蓋体３の上端部の集水溝４に集水される。そして、集水溝４に集水されて溜められた雨水が所定の量を越えたときには、集水溝４の幅方向端部にあるオーバーフロー部５から下方に滴り落ちるようにされている。つまり、蓋体３の表面に多量の雨水が降りかかって集水溝４で収容しきれなかった雨水は、集水溝４の幅方向の中央部等の部位を乗り越える前に、集水溝４の幅方向端部にあるオーバーフロー部５から滴り落ちるようにされているのである。なお、図５中Ｗは雨水を示している。
【００１９】
ここで、ポスト本体１内に収納された郵便物は、当然、ポスト本体１内の幅方向の端部部位に位置するよりも、ポスト本体１内の幅方向の中央部位に位置する確率が高いものである。言いかえれば、ポスト本体１内の幅方向端部は、郵便物が位置することがほとんど無い部位である。上述したように本例の郵便ポストでは、蓋体３が取出口２を開けたときに集水溝４に集水された雨水が集水溝４内に収まりきらなかった場合でも、上記雨水はポスト本体１内の幅方向端部にのみ落ちるようにされているので、蓋体３が取出口２を開けたときに、ポスト本体１内に収納した郵便物が雨水で濡れてしまうことは極力無いようにされているのである。
【００２０】
なお、上記集水溝４のオーバーフロー部５から滴り落ちた雨水は、上述したように取出口２を開けた状態の蓋体３におけるオーバーフロー部５の下方位置にある中敷板７の通水孔８を通過してポスト本体１の底面１ｃに至り、ポスト本体１の底面１ｃにある水抜き孔６からポスト本体１外へ排水されるようになっている。特に本例では、中敷板７の通水孔８の下方位置に水抜き孔６が穿設されているので、この水抜き孔６からすみやかにポスト本体１外へ雨水は排水されるようになっている。ここで、通水孔８の下方位置にある水抜き孔６が塞がれた状態になっていて、集水溝４のオーバーフロー部５から滴り落ちて通水孔８を通った雨水がポスト本体１の底面１ｃ上に多少溜まるようになっていたとしても、ポスト本体１の底面１ｃに隙間Ｓを設けて配置された中敷板７上に収納された郵便物には、上記隙間Ｓの高さ以上に雨水がポスト本体１の底面１ｃ上に溜まらない限り、上記雨水による濡れなどは生じないのであり、上記雨水は適宜他の水抜き孔６から排水させるようにできるのである。つまり、ポスト本体１の底面１ｃに隙間Ｓを設けて中敷板７を配置することで、水抜き孔６の設置位置の自由度が高められているのである。
【００２１】
なお、集水溝４に集水された雨水が集水溝４内に充分に収まる場合には、オーバーフロー部５から雨水がポスト本体１内に滴り落ちることはなく、再び蓋体３が取出口２を閉じた際に蓋体３の表面を伝って蓋体３の下方に流下されるのであり、ポスト本体１内に収納された郵便物が濡れることはないのは言うまでもない。つまり、本例の郵便ポストは、集水溝４に集水した雨水全てをいたずらにポスト本体１内に滴り落としているのではなく、最低限、必要な場合にのみオーバーフロー部５を介して上記雨水をポスト本体１内に滴り落すのであって、郵便物の雨水による濡れの可能性を極力低減させているものである。
【００２２】
なお、本例の郵便ポストでは、ポスト本体１内に収納した郵便物が雨水で濡れないようにされるといった上述の利点の他にも、蓋体３のポスト本体１への取付けの施工性の向上が図られているといった利点も有している。以下に、詳述する。
【００２３】
蓋体３のポスト本体１への枢支構造は、蓋体３にはその幅方向に突出する枢支軸１８が設けられ、この枢支軸１８の突出先端をポスト本体１の取出口縁に設けた枢支孔１９に回転自在に挿入させることで、蓋体３が取出口２に回動自在に取り付けられたものである。詳しくは、図６に示すように、蓋体３の裏面には幅方向に所定間隔を隔てて１対の突出片２０が設けられており、この１対の突出片２０に同心状の軸取付け孔２１がそれぞれ穿設され、蓋体３の幅方向中央側に位置した突出片２０の軸取付け孔２１から他方の突出片２０の軸取付け孔２１に順に枢支軸１８の軸部１８ａが挿入されている。ここで、枢支軸１８は先端に軸部１８ａを有し且つ基端に頭部１８ｂを有して構成されている。また、蓋体３の幅方向中央側の突出片２０における幅方向中央側には抜け止め突起２２が並んで突設されている。この抜け止め突起２２は弾性変形可能な樹脂で形成されており、抜け止め突起２２と隣接する突出片２０との間には枢支軸１８の頭部１８ｂが挟み込まれるようにされている。しかして、枢支軸１８を軸取付け孔２１に取付けるには、図９に示すように、軸取付け孔２１に枢支軸１８を押し込んで挿入し、枢支軸１８の頭部１８ｂを抜け止め突起２２に乗り越えさせるといったワンタッチ作業で行えるようにされている。なお、枢支軸１８の頭部１８ｂの外縁部には先端側（軸部１８ａ側）ほど径が小さくなるテーパ１８ｃが設けられており、枢支軸１８の軸取付け孔２１への押し込み方向に対する、枢支軸１８の頭部１８ｂの抜け止め突起２２の乗り越えを容易にさせている。一方、枢支軸１８の突出先端が挿通される枢支孔１９は、図７に示すように、ポスト本体１の取出口縁の水受け片１４から更にポスト本体１の内方に突設された軸受片２３に穿設されている。
【００２４】
上記枢支構造を有した蓋体３をポスト本体１に取付けるには、図８に示すように、まず、突出片２０と軸受片２３とが対面されるように蓋体３を取出口２内に位置させ、次に、頭部１８ｂが抜け止め突起２２を乗り越えない程度に枢支軸１８を軸取付け孔２１に挿通させ、この枢支軸１８の突出先端を枢支孔１９に仮挿入させ、その後、軸取付け孔２１に仮挿入された状態の枢支軸１８の頭部１８ｂを先端方向に押し込み、枢支軸１８の頭部１８ｂを抜け止め突起２２に乗り越えさせて、枢支軸１８を軸取付け孔２１に取付けると共に枢支軸１８を枢支孔１９に本挿入させるようにして行われるのである。
【００２５】
ところで、旧来の蓋体３のポスト本体１への枢支構造にあっては、図１０に示すように、本例の抜け止め突起２２に相当する部位をネジ２４で構成させており、つまり枢支軸１８を枢支孔１９に本挿入させた後に上記ネジ２４を蓋体３に螺着させていたものであった。しかし、このネジ２４の螺着作業は、細かい作業であるにもかかわらず、一方の手は蓋体３を支持せねばならないため、他方の手のみによってネジ２４の螺着を行わねばならないこととなり、大変煩雑な作業となっており、また、この煩雑な作業におけるネジ２４の蓋体３への螺着の具合によっては、蓋体３に内部応力を発生させ、蓋体３にクラックや割れ等を生じさせるに至る場合もあった。
【００２６】
しかしながら、本例の蓋体３のポスト本体１への枢支構造にあっては、上述したように、旧来のネジ２４の代わりに弾性変形可能な抜け止め突起２２を設けており、蓋体３のポスト本体１への取付け作業は枢支軸１８を軸取付け孔２１に取付けることで完結されるようになっている。そして、この枢支軸１８の軸取付け孔２１への取付け作業は、枢支軸１８の頭部１８ｂを抜け止め突起２２に乗り越えさせるように、枢支軸１８を軸取付け孔２１及び枢支孔１９に押し込むことでワンタッチに行えるようにされている。ここで、この枢支軸１８を軸取付け孔２１及び枢支孔１９に押し込む作業は、一方の手で蓋体３を支持しても、他方の手で充分簡単に行える作業であることから、蓋体３のポスト本体１へ取付け作業の施工性が旧来のものと比べ、格段に向上しているのである。また、旧来の煩雑なネジ２４の蓋体３への螺着作業を無くしたことで、蓋体３にクラックや割れ等を生じさせる恐れも無くしているのである。このように、本例の郵便ポストにあっては、上述した蓋体３のポスト本体１への枢支構造を採用しているため、蓋体３のポスト本体１への取付け施工性、ひいては郵便ポストの組立性の向上が旧来のものと比べて格段に向上しているのである。
【００２７】
【発明の効果】
上記のように本発明の請求項１記載の発明にあっては、蓋体の幅方向に亘って蓋体の表面からポスト本体の内方に凹没させて形成した集水溝を蓋体の上端部に設け、集水溝の幅方向端部に位置した溝壁の溝高さを集水溝の他の溝壁よりも低く設定させてオーバーフロー部を形成したので、蓋体が取出口を開けたとき集水される雨水が集水溝に収まりきらない場合には、集水溝の幅方向端部に設けたオーバーフロー部から滴り落すことができ、つまり集水溝の幅方向端部以外の溝壁を越えて雨水がポスト本体の内方に飛散してしまうことを無くすることができるのである。ここで、集水溝のオーバーフロー部の下方位置は、ポスト本体内に収納された郵便物がほとんど位置しないポスト本体の底面と側面との角部近傍部位であるから、オーバーフロー部から滴り落ちた雨水が郵便物にひっかかる恐れはほとんど無いものである。したがって、蓋体を開けたときにポスト本体の内方に収納された郵便物が雨水で濡れる恐れを無くすることができるのである。
【００２８】
また、請求項２記載の発明にあっては、請求項１の効果に加えて、取出口を開けた状態の蓋体におけるオーバーフロー部の下方に位置するポスト本体の底面の部位に、オーバーフロー部から滴り落ちた雨水をポスト本体外へ排出させる水抜き孔を穿設したので、オーバーフロー部からポスト本体の底面に滴り落ちた雨水を、ポスト本体の底面に留まらせず、水抜き孔からすみやかにポスト本体外へ排水させるようにできるのであり、蓋体を開けたときにポスト本体の内方に収納された郵便物が雨水で濡れる恐れを更に無くするようにできるのである。
【００２９】
また、請求項３記載の発明にあっては、請求項１の効果に加えて、取出口を開けた状態の蓋体におけるオーバーフロー部の下方に位置する中敷板の部位に、オーバーフロー部から滴り落ちた雨水を下方に通過させる通水孔を設けたので、中敷板にはオーバーフロー部から滴り落ちた雨水がかかることはなく、また、上記雨水が中敷板の通水孔を通ってポスト本体の底面上に溜まったとしても、上面に郵便物が載置される中敷板をポスト本体の底面上に隙間を介して重ねて配置したので、ある程度ポスト本体の底面上に雨水が溜まっても郵便物は濡れないようにできる。したがって、蓋体を開けたときにポスト本体の内方に収納された郵便物が雨水で濡れる恐れを更に低減させることができると共に、オーバーフロー部から滴り落ちた雨水をすみやかにポスト本体外に排水する必要もないから、ポスト本体の底面に穿設する水抜き孔の設置位置の自由度も高めることができるのである。
【図面の簡単な説明】
【図１】本発明の実施の形態の例の郵便ポストを示すものであり、（ａ）は側面断面図であり、（ｂ）は（ａ）のＡ部分の拡大図である。
【図２】同上の後面図である。
【図３】同上の中敷板の分解斜視図である。
【図４】同上の水抜き孔の設置位置を説明する説明図である。
【図５】同上の蓋体が取出口を開けたときの雨水の動きを説明する説明図である。
【図６】同上の蓋体の要部断面図である。
【図７】同上のポスト本体の側面断面図である。
【図８】同上の蓋体のポスト本体への施工を説明する説明図である。
【図９】同上の枢支軸の軸取付け孔への取付け施工を説明する説明図である。
【図１０】比較例の蓋体の要部断面図である。
【図１１】同上の蓋体が取出口を開けたときの雨水の動きを説明する説明図である。
【図１２】従来技術の他例の蓋体の要部の斜視図である。
【図１３】同上の蓋体が取出口を開けたときの雨水の動きを説明する説明図である。
【符号の説明】
１　ポスト本体
２　取出口
３　蓋体
４　集水溝
５　オーバーフロー部
６　水抜き孔
７　中敷板
８　通水孔
Ｓ　隙間
【図１】
2004105259.tif 000003
【図２】
2004105259.tif 000004
【図３】
2004105259.tif 000005
【図４】
2004105259.tif 000006
【図５】
2004105259.tif 000007
【図６】
2004105259.tif 000008
【図７】
2004105259.tif 000009
【図８】
2004105259.tif 000010
【図９】
2004105259.tif 000011
【図１０】
2004105259.tif 000012
【図１１】
2004105259.tif 000013
【図１２】
2004105259.tif 000014
【図１３】
2004105259.tif 000015